(57)【要約】  子供用飲料ボトルまたは子供用飲料カップの容器の容器縁部に密閉し、取外し可能に接続するための取付手段を外周部に有し、マウスピースおよび／または隠れ蓋を受けるための開口部と、開口部に隣接し開口部および取付手段と距離をあけて配置される雌ねじとを有する密閉リングと、  貫通孔と、固定差込部と密閉リングとの間でマウスピースおよび／または隠れ蓋の取付具を密閉するよう締め付けるために密閉リングの雌ねじにねじ込み可能である雄ねじとを有する固定差込部と、を備える子供用飲料ボトルまたは子供用飲料カップのための閉鎖システム。【選択図】図２
2010524793.tif 000002
【特許請求の範囲】
【請求項１】
子供用飲料ボトルまたは子供用飲料カップのための閉鎖システムであって、
子供用飲料ボトルまたは子供用飲料カップの容器の容器縁部（１６）に密閉し、取り外し可能に接続するための取付手段（４０）を外周部に有し、マウスピース（２２）および／または隠れ蓋（３２）を受けるための開口部（３６）と、該開口部（３６）に隣接し開口部および前記取付手段（４０）と距離をあけて配置される雌ねじ（４６）とを有する密閉リング（２０）と、
貫通孔（６０）と、固定差込部（３０）と密閉リング（２０）との間で前記マウスピース（２２）および／または前記隠れ蓋（３２）の取付具を密閉するように締め付けるために前記密閉リング（２０）の雌ねじ（４６）にねじ込み可能である雄ねじ（６６）とを有する固定差込部（３０）と、
を備える子供用飲料ボトルまたは子供用飲料カップのための閉鎖システム。
【請求項２】
前記密閉リング（２０）の前記雌ねじ（４６）が、前記密閉リング（２０）の筒状部分（４２）に形成されており、筒状部分の外面（４４）が前記容器縁部（１６）の内面に隣接することを特徴とする、請求項１に記載の閉鎖システム。
【請求項３】
前記固定差込部（３０）が、前記貫通孔（６０）および前記貫通孔（６０）にかかるウェブ部（５８）を形成する環状部分（５６）を有することを特徴とする、請求項１または２に記載の閉鎖システム。
【請求項４】
容器側を向く固定差込部の前記環状部分（５６）の一方の側が、前記密閉リング（２０）にねじ込まれた状態で、前記密閉リング（２０）の前記筒状部分（４２）の自由端とほぼ同一面で終端することを特徴とする、請求項３に記載の閉鎖システム。
【請求項５】
容器側を向く前記固定差込部（３０）の前記環状部分（５６）の一方の側（６４）が、組み付けられた状態で、前記貫通孔（６０）に向かって前記マウスピース（２２）の方向へ傾斜していることを特徴とする、請求項３または４に記載の閉鎖システム。
【請求項６】
組み付けられた状態ではマウスピースの取付部分を向く前記密閉リング（２０）の一面（４８）、および／またはマウスピースの取付部分を向く前記固定差込部（３０）の一面が、前記固定差込部（３０）をねじ込む際に取付部分に押圧される周縁隆起部分、周縁部（５４、６８）または周縁ウェブ部（５０、７０）を有することを特徴とする、請求項１から５のいずれか一項に記載の閉鎖システム。
【請求項７】
前記密閉リング（２０）の前記雌ねじ（４６）および前記固定差込部（３０）の前記雄ねじ（６６）が、前記固定差込部（３０）を完全にねじ込むためには１回転または２回転を要するよう設計されていることを特徴とする、請求項１から６のいずれか一項に記載の閉鎖システム。
【請求項８】
前記密閉リング（２０）の前記取付手段（４０）が、容器縁部の雄ねじ（１２）と協働する別の雌ねじ（４０）であることを特徴とする、請求項１から７のいずれか一項に記載の閉鎖システム。
【請求項９】
閉鎖システムの開口部（３６）を閉鎖するための隠れ蓋（３２）が設けられることを特徴とする、請求項１から８のいずれか一項に記載の閉鎖システム。
【請求項１０】
飲用開口部（３４）と取付具とを有し、前記密閉リング（２０）の開口部（３６）に挿入可能であるマウスピース（２２）を備えることを特徴とする、請求項１から９のいずれか一項に記載の閉鎖システム。
【請求項１１】
前記マウスピース（２２）が、飲み物を飲むための乳首または飲み口（２２）であることを特徴とする、請求項１０に記載の閉鎖システム。
【請求項１２】
マウスピース（１００）が、第１位置では飲用開口部を密封し、第２位置では飲用開口部を開放する軸方向に移動可能である閉鎖要素（１０４）を備えることを特徴とする、請求項１０に記載の閉鎖システム。
【請求項１３】
前記閉鎖要素（１０４）が周縁ビード部（１２４）を有することを特徴とする、請求項１２に記載の閉鎖システム。
【請求項１４】
前記閉鎖要素（１０４）が実質的に筒状の構成であり、前記マウスピース（１００）が、第１位置では前記閉鎖要素（１０４）の長手部分（１１０）に係合するピン（１１２）を有することを特徴とする、請求項１２または１３に記載の閉鎖システム。
【請求項１５】
容器開口部と容器縁部（１６）とを有する容器（１０）と、請求項１から１１のいずれか一項に記載の閉鎖システムとを有する子供用飲料ボトルまたはカップ。
【請求項１６】
前記容器（１０）と前記密閉リング（２０）との間に挿入され、容器と一体的に構成される、または個別の取付手段で容器に取り付けられる把持要素（２４）が設けられることを特徴とする、請求項１２に記載の子供用飲料ボトルまたはカップ。
【請求項１７】
前記密閉リング（２０）に取り外し可能に接続可能であり、前記マウスピース（２２）を覆う密閉キャップが設けられることを特徴とする、請求項１２または１３に記載の子供用飲料ボトルまたはカップ。
【請求項１８】
飲用開口部と、
第１位置で飲用開口部を密封し、第２位置で飲用開口部を開放する軸方向に移動可能である閉鎖要素（１４２）と、
を備える、マウスピース（１３０）を有する飲料ボトルまたはカップ用の閉鎖システムにおいて、
前記マウスピース（１３０）が、飲料ボトルまたは飲料カップの容器縁部と、飲料ボトルまたは飲料カップにねじ締め可能である密閉リング（１６０）との間に取り付けることが可能である取付具（１３２）を備えることを特徴とする閉鎖システム。
【請求項１９】
前記閉鎖要素（１４２）が周縁ビード部（１４４）を有することを特徴とする、請求項１８に記載の閉鎖システム。
【請求項２０】
前記閉鎖要素（１４２）が実質的に筒状の構成であり、前記マウスピース（１３０）が、第１位置で前記閉鎖要素（１４２）の長手部分に係合するピン（１４８）を有することを特徴とする、請求項１８または１９に記載の閉鎖システム。
【請求項２１】
取付部分（１３２）が周縁取付フランジであり、その厚さが外側へ向かって径方向に減少することを特徴とする、請求項１８から２０のいずれか一項に記載の閉鎖システム。
【請求項２２】
閉鎖システムが請求項１８から２０のいずれか一項に従って設計されることを特徴とする、容器と閉鎖システムとを備える飲料ボトルまたはカップ。
【請求項２３】
子供用の飲料ボトルまたは子供用飲料カップであることを特徴とする、請求項２１に記載の飲料ボトルまたはカップ。
【発明の詳細な説明】
【技術分野】
【０００１】
本発明は、子供用の飲料ボトルまたは飲料カップのための閉鎖システム、ならびに閉鎖システムを備える子供用飲料ボトルまたは子供用飲料カップに関する。
【背景技術】
【０００２】
このような子供用飲料ボトルまたはカップは、液体を受けるための容器を有する。容器は、飲料を飲みやすくするための特殊なマウスピースを有する蓋により閉鎖される。
【０００３】
たとえば、蓋と一体化して形成される飲み口が設けられ、比較的硬質のプラスチックからなる一体型の蓋が作られている子供用飲料カップが公知である。飲み物を飲むことを容易にするために、蓋には通気口が設けられる。意図せずに液体が流出することを回避するためには、弾性材料からなり、マウスピースを吸った時にのみ液体を放出する溝形状の開口部を有する特殊な差込部がマウスピースに設けられることが可能である。また、同じ目的のために特殊なバルブが設けられることも可能である。公知の子供用飲料カップの欠点は、マウスピースが蓋の他の部分と同じ比較的硬質のプラスチックからなり、マウスピースが破損した場合には蓋全体を交換しなくてはならないことである。
【０００４】
公知の子供用飲料ボトルでは、マウスピースは全体として極めて弾性的な材料、たとえばラテックスまたはシリコンからなる乳首であり、開口部と離れた側の端部に取付フランジを有する。取付フランジは密閉リングにより押圧されており、密閉リングは飲料ボトルの縁部に対してねじ締めされて取り付けられる。マウスピースは密閉リングから取り外されることが可能であり、それによって個別に交換することが可能である。非特許文献１は、たとえばそのような子供用飲料ボトルを示している。ボトルの首と密閉リングとの間でマウスピースの取付フランジが正確に密封固定されているかを外観から確認することは困難である。また、ボトルの首の開口部の大きさが、マウスピースの取付フランジの予め設定された大きさに対応する必要がある。
【先行技術文献】
【非特許文献】
【０００５】
【非特許文献１】文献ＤＥ  １９７  ３７  ９１１  Ａ１
【発明の概要】
【発明が解決しようとする課題】
【０００６】
したがって、本発明の目的は、取り扱いが簡単であり、柔軟に使用することが可能である子供用飲料ボトルまたは子供用飲料カップのための閉鎖システムを提供することである。
【課題を解決するための手段】
【０００７】
この目的は、請求項１に記載の特徴を有する子供用飲料ボトルまたは子供用飲料カップの閉鎖システムにより達成される。有利な実施形態は従属請求項に記載される。
【０００８】
本発明に係る閉鎖システムは、以下を備える。
子供用飲料ボトルまたは子供用飲料カップの容器の容器縁部に密閉し、取り外し可能に接続するための取付手段を外周部に有し、マウスピースおよび／または隠れ蓋を受けるための開口部と、開口部に接しており開口部および取付手段と距離をあけて配置される雌ねじとを有する密閉リングと、貫通孔と、固定差込部と密閉リングとの間でマウスピースおよび／または隠れ蓋の取付具を密閉するよう締め付けるために密閉リングの雌ねじにねじ込み可能である雄ねじとを有する固定差込部。
【０００９】
密閉リングの取付手段は、容器縁部を包囲する周縁部であることが可能である。その結果、密閉リングは容器縁部に確実に固定されることが可能である。容器縁部には、スナップ閉止部のように、取付手段の一部が後方から係合する周縁ビード部が設けられていることが可能である。密閉リングと容器縁部との間ではねじ接続も可能である。密閉リングの開口部は、中央に配置されるか、または横方向にずらされて配置されることが可能である。好適には、開口部は円形である。雌ねじは好適には密閉リングの容器側に構成されている。すなわち、これは好適には子供用飲料ボトルおよび／または子供用飲料カップが閉じられた際に内側に位置している。雌ねじは、開口部および取付手段から一定の距離を隔てて密閉リングの外周部に位置している。すなわち、これは前述の開口部と外周部との間に配置されている。好適には雌ねじは円形開口部と同心に配置される。マウスピースの取付具は、マウスピースの長手方向軸に対して実質的に垂直に延伸する円形のディスク形状の面を形成する取付フランジであることが可能である。マウスピースの取付具は、固定差込部と密閉リングとの間を密閉して取り付けられる。マウスピースの代わりに、またはこれに加えて、密閉リングの開口部を閉鎖する隠れた蓋が、固定差込部と密閉キャップとの間を密閉して取り付けられることが可能である。
【００１０】
これにより、密閉リングと、マウスピースおよび／または隠れ蓋と、固定差込部との組み合わせは、組み付けられた状態では、液体が入れられた容器に接続するユニットを形成する。その結果、マウスピースの取付具が正しい位置に配置されており十分に密閉されて取り付けられているかを、液体が入れられた容器が取り付けられる前に容易に確認することが可能である。このように監視するための性能が向上したことにより、漏れが生じた結果、液体が流出してしまうことが回避される。同時に取付具の締め付けが、より一層正確かつ高精度に行われ、取付具に過度の応力が生じ、早期に消耗することが回避可能である。容器の開口部の大きさは、マウスピースの大きさとは無関係に選択される。特に、カップの充填および洗浄が容易であるような比較的大きなカップ開口部を有するカップが、標準的な大きさのマウスピースと組み合わされることが可能であり、これは飲料ボトルにも使用可能である。これによって、閉鎖システムは特に多様に使用可能である。固定差込部をねじ込んで取り付けることにより、マウスピースも異なる厚さの取付具に確実に締め付けることが可能である。特に、既存の飲料ボトルの乳首をこの閉鎖システムと組み合わせることができる。これにより、飲料ボトルから、場合によっては異なるマウスピースを有する大きな飲料カップへの交換が簡単になる。
【００１１】
一実施形態では、密閉リングの雌ねじは、密閉リングの筒状部分に形成されており、筒状部分の外面は容器縁部の内面に隣接する。筒状部分の外面は、全体が、または部分的に容器縁部の内面に対して当接するか、またはこれから短い距離をあけて配置されることが可能である。筒状部分の外面は、密閉リングのガイド部を形成し、容器縁部への位置決めを容易にする。また、液体が集まり、子供用飲料ボトルまたは子供用飲料カップを完全に空けることを難しくしてしまうような比較的大きな溝が雌ねじと容器縁部の内面との間に形成されることが回避される。選択的には雌ねじおよび容器開口部の直径が相互に調整され、筒状部分の肉厚が、材料が節約できるように構成されることが可能である。
別の実施形態では、固定差込部は、貫通孔を形成する環状部分と、孔にかかるウェブ部とを有する。環状部分は、取付具が確実に締め付けられることを可能にするよう寸法決めされている。同時に、特に大きな貫通孔が生じ、これを通り液体が妨げられずに通過でき、さらに取付具の正確な固定を確認することが容易になる。貫通孔にかかるウェブ部は、特に容易に把持可能であり、固定差込部のねじ込みを容易にする。
【００１２】
本発明の一実施形態によれば、密閉リングにねじ込まれた状態で容器側を向く固定差込部の環状部分の片側は、密閉リングの筒状部分の自由端とほぼ同一面上で終端する。この場合、密閉リングの筒状部分の自由端は容器内部に向いている。ほぼ同一面上にある終端部分により、固定差込部および筒状部分の領域に凹部が生じることが回避され、これにより、残っている液体を出し切ることが容易になる。「ほぼ同一平面上」という表現は、筒状部分の長さに対して、固定差込部の環状部分または筒状部分の自由端が、対応する他方の部分からわずかにしか突出していないことを意味している。ねじ込まれた状態での実際の配置は、この場合、取付具の厚さに応じて異なるため、完全に同一面上にある状態からはわずかに逸脱する可能性がある。好適には固定差込部および雌ねじは、固定差込部の環状部分が筒状部分から内側へ突出しないように相互に調整されている。
【００１３】
本発明の一実施形態によれば、組み付けられた状態では容器側を向く固定差込部の環状部分の片側は、マウスピースの方向へ貫通孔に向かって傾斜している。マウスピースの方へ向かう傾斜により容器を完全に空にすることが容易になる。
【００１４】
一実施形態では、組み付けられた状態ではマウスピースの取付具側を向く密閉リングの一面、および／またはマウスピースの取付具側を向く固定差込部の一面は、固定差込部を取付具に向かってねじ込む際に押圧される周辺的に隆起した部分、周縁部または周縁ウェブ部を有する。これにより、マウスピースと接続シールとの固定を向上させる、特定の直線状または帯状の接触面が設けられる。
【００１５】
一実施形態では、密閉リングの雌ねじおよび固定差込部の雄ねじは、１回転または２回転で完全に固定差込部がねじ込まれるように設計されている。必要な回転数が１．５回転であることが好適である。これにより、固定差込部のねじ込みが概ね一操作で行われることが可能になり、多様な厚さの固定取付具のための十分な隙間が残される。
【００１６】
一実施形態では、密閉リングの取付手段は別の雌ねじであり、これが容器縁部の雄ねじと協働する。このねじ込み式の接続により、密閉リングは特に簡単に容器縁部に固定可能であり、十分に密閉される。特に、飲み物を飲んでいる間に、密閉リングが容器縁部から不注意によって外れることが、スナップ式留め具の場合よりも確実に回避可能である。
【００１７】
一実施形態では、閉鎖システムの開口部を閉鎖する隠れ蓋が設けられている。隠れ蓋は、密閉リングの開口部に挿入され、かつ／または固定差込部の貫通孔に挿入され得る。隠れ蓋は、固定差込部を密閉リング内へねじ込むことにより固定差込部と密閉リングとの間で締め付けることができる取付具を有することが可能である。隠れ蓋を対応する開口部で保持する周辺係止突起部を隠れ蓋が有することが可能であり、これにより隠れ蓋を利用する場合に固定差込部のねじ込みが容易になる。この場合、隠れ蓋は、固定差込部の貫通孔へ挿入される際に、マウスピースの代わりに、またはマウスピースに加えて密閉リングの開口部に挿入され得る。両者の場合でも子供用飲料ボトルまたは子供用飲料カップは密封され、たとえば運搬目的または炭酸を含む飲料を収容するために用いられる。
【００１８】
一実施形態によれば、閉鎖システムは飲用開口部と固定部分とを有するとともに密閉リングの開口部に挿入可能であるマウスピースを含む。
【００１９】
好適にはマウスピースは飲み物を飲むための乳首部分または飲み口である。これにより、これは乳児にも幼児用にも使用可能である。
【００２０】
一実施形態では、マウスピースは軸方向に移動可能である閉鎖要素を含み、これは第１位置では飲用開口部を密封し、第２位置では飲用開口部を開放する。このようなマウスピースは、たとえばスイスの特許出願ＣＨ  ６８１０７５  Ａ５から公知であるねじ込み式のボトル閉鎖部に組み込まれるマウスピースとして公知である。軸方向に移動可能である閉鎖要素により、マウスピースにおいて開口部を容易に、特に口および／または歯を使って開閉することができる。
【００２１】
別の実施形態では閉鎖要素は周縁ビード部を有する。周縁ビード部は好適には、使用者側のマウスピース端部に配置され、軸方向に移動可能である閉鎖要素に固定的に接続される。ビード部は、口または歯を使って閉鎖要素を移動させることを容易にする。
【００２２】
一実施形態では、閉鎖要素は実質的に筒状の構成であり、マウスピースは、第１位置では閉鎖要素の長手部分に係合するピンを有する。ピンが閉鎖要素に係合することにより、飲用開口部が第１位置で閉鎖される。実質的に筒状の閉鎖要素は均一の内径または変化する内径を有することが可能である。好適には、閉鎖要素の内径は変化し、閉鎖要素は、使用者側の端部でピンの外径に合わせられた内径を有する。外径が均一のピンでは、さらにボトルに近い部分で閉鎖要素の内径を、ピンの直径に合わせた長手部分に対して拡張することが可能であり、これにより閉鎖要素の第２位置では液体がピンの周りの内径が拡大している部分を流れることが可能である。ピンはこの第２位置では、内径がピンに合わせられた長手部分に係合しない。ピンと実質的に筒状の閉鎖要素の構成は特に簡単な構成であり、閉鎖状態での飲用開口部の確実な密封が達成できる。
【００２３】
上述の目的は、請求項１５に記載の子供用飲料ボトルまたは子供用飲料カップによっても達成可能である。有利な実施形態は付随の従属請求項に記載される。本発明に係る子供用飲料ボトルまたは本発明に係る子供用飲料カップは、容器開口部と、容器縁部と、上述の実施形態のいずれか１つに記載の閉鎖システムとを有する容器を有する。
【００２４】
一実施形態では、子供用飲料ボトルまたは子供用飲料カップには追加的に、把持要素が設けられており、これは容器と密閉リングとの間に挿入されており、容器と一体的に構成されているか、または容器における個別の取付手段により取り付けられる。
【００２５】
一実施形態では子供用飲料ボトルまたは子供用飲料カップは追加的に、密閉リングと取り外し可能に接続するとともにマウスピースを覆う密閉キャップを有する。これによりマウスピースが汚れから保護される。
【００２６】
スイス特許出願ＣＨ  ６８１０７５  Ａ５から公知である飲料ボトル閉鎖部は、閉鎖部をボトルに密閉するよう接続するために飲料ボトルにねじ込まれるねじ部を有する。これより、本発明のさらなる目的は、さらに柔軟な使用が可能である飲料ボトルの閉鎖システムを提供することである。
【００２７】
この目的は、請求項１８の特徴を有するマウスピースを備える飲料ボトルまたは飲料カップ用の閉鎖システムにより達成される。有利な実施形態は付随の従属請求項に記載される。
【００２８】
本発明に係る閉鎖システムは、好適には子供用飲料ボトルまたは子供用飲料カップに使用される。これは、飲用開口部と、第１位置で飲用開口部を密封し、第２位置で飲用開口部を開放する軸方向に移動可能である閉鎖要素とを有し、マウスピースは飲料ボトルまたは飲料カップの容器縁部と飲料ボトルまたは飲料カップにねじ込まれることが可能である密閉リングとの間に締め付けることが可能である取付具を備える。先行技術から公知であるいわゆるプッシュプル式閉鎖システムに対して、本発明では特定のボトルの首に合わせられたねじ部は不要である。代わりに、締め付け可能である取付具がマウスピースに形成される。取付具は特に、周縁取付フランジであることが可能である。締め付け可能である取付具により、ボトルまたはカップにねじ込まれることが可能である密閉リングが設けられた既存の飲料ボトルまたは飲料カップと閉鎖システムを組み合わせることが可能である。このような飲料ボトルまたは飲料カップは広く流通しており、たとえば子供用飲料ボトルに飲み物を飲むための乳首または飲み口を固定するために使用される。これにより、本発明に係る閉鎖システムは、簡単にプッシュプル式システムと組み合わせることができる。したがって飲料ボトルまたは飲料カップの開閉が容易になる。
【００２９】
一実施形態では、閉鎖要素は周縁ビード部を有する。別の実施形態では閉鎖要素は実質的に筒状の構成であり、マウスピースは、第１位置で閉鎖要素の長手部分に係合するピンを有する。これら２つの実施形態およびその長所は、密閉リングおよび固定差込部を備える閉鎖システムとの関連ですでに説明した通りである。
【００３０】
一実施形態によれば、固定部分は周縁取付フランジであり、その厚さは外側へ向かって径方向へ減少する。
【００３１】
この場合、取付フランジの厚さは、断面が外側へ向かって均一に減少するか、または少なくとも１つの段差が形成されて減少する。この実施形態により、飲料ボトルまたは飲料カップと密閉リングとの間でのマウスピースの中央への挿入が容易になり、密閉効果が向上する。
【００３２】
上述の目的は、請求項２２の特徴を有する飲料ボトルまたは飲料カップによっても達成される。本発明に係る飲料ボトルまたは飲料カップは、上述の閉鎖システムにより閉鎖されることが可能である容器を有する。
好適には飲料ボトルまたは飲料カップは、子供用の飲料ボトルまたは子供用の飲料カップである。
【００３３】
好適には密閉リング、固定差込部、子供用飲料カップ、把持要素、移動可能である閉鎖要素および／または密閉キャップを有するマウスピースは、プラスチック製である。
以下に本発明を図面に示される実施形態に基づいて詳細に説明する。
【図面の簡単な説明】
【００３４】
【図１】本発明に係る子供用飲料カップの斜視図である。
【図２】図１の子供用飲料カップの断面図である。
【図３】本発明に係る密閉リングの斜視図である。
【図４】図３の密閉リングの側方からの平面図である。
【図５】図４の密閉リングの線Ａ−Ａで示される平面の断面図である。
【図６】固定差込部の斜視図である。
【図７】図６の固定差込部の上からの平面図である。
【図８】図７の固定差込部の線Ａ−Ａで示される平面の断面図である。
【図９】図７の固定差込部の線Ｂ−Ｂで示される平面の断面図である。
【図１０】図７の固定差込部の線Ｃ−Ｃで示される平面の断面図である。
【図１１】密閉リングとねじ込まれた固定差込部とを有する閉鎖システムの断面図であり、軸方向に移動可能である閉鎖要素を有するマウスピースがこの間に取り付けられている。
【図１２】飲料ボトルまたは飲料カップ用の、軸方向に移動可能である閉鎖要素を有するマウスピースを備える閉鎖システムの斜め下からの斜視図である。
【図１３】図１２の閉鎖システムの斜め下からの別の斜視図である。
【図１４】図１２および図１３の閉鎖システムの斜め上からの別の斜視図と、個別に示される密閉リングの図である。
【発明を実施するための形態】
【００３５】
図１の子供用飲料カップは、閉鎖システムにより閉鎖されるカップ形状の容器１０から構成される。閉鎖システムは、密閉リング２０からなり、その円形の開口部の中央に配置されて飲み口２２の形のマウスピースが挿入される。飲み口２２は、図１では不図示の固定差込部により密閉リング２０の開口部で保持される。密閉リング２０の下、およびカップ縁部の領域内には把持要素２４が配置され、これは２つの把持部分２６と、２つの把持部分２６を接続するリング２８とから構成される。
【００３６】
詳細は図２の断面図にさらに明確に示されている。容器１０は、実質的に円筒形の容器壁部により形成される上方の容器縁部１６まで広がる大きな円形の開口部を有する。容器縁部１６の外面には雄ねじ１２が設けられる。雄ねじ１２の下には、ストッパを形成する周縁突起部１４が配置される。密閉リングは、密閉リングの外周部に構成される雌ねじにより雄ねじ１２にねじ締めされる。把持要素２４は、周縁突起部１４と密閉リング２０との間に固定される。飲み口２２の下には、隠れ蓋３２が挿入されており、これは固定差込部３０の貫通孔に配置されており、飲み口２２の取付具と共に固定差込部３０と密閉リング２０との間に締め付けられる。これにより、固定差込部３０の貫通孔は密封されて飲み口２２内へ、またその開口部３４を通り液体が流出することがない。
【００３７】
図３の斜視図に示される密閉リング２０は環状であり、中央に配置される円形の開口部３６を有する。密閉リング２０の比較的平坦な構造および外周部の上面の非常に曲線的な縁部が図４の側面図に示されている。
【００３８】
図５は、図４において線Ａ−Ａで示される密閉リング２０の径方向の断面を示している。図の左側に配置される断面の縁部は開口部３６を表す。容器１０に接続するために、密閉リング２０は、３８で示される周溝により容器縁部１６に配置される。この場合、雌ねじ４０は容器縁部の雄ねじ１２に係合する。雌ねじ４０は密閉リング２０の外周部に形成され、容器１０への接続のための取付手段として用いられる。密閉リング２０の容器側の面で、さらに中央に向かう面には筒状部分４２が配置され、その外面４４は、ねじ込み式容器１０の容器縁部に隣接している。ねじ込みの際には、外面４４は容器縁部用のガイド部を形成する。筒状部分４２の内面には別の雌ねじ４６が形成されている。これは固定差込部３０を受けるために用いられる。図２に示されるように、固定差込部３０は雌ねじ４６に完全にねじ締めされ、筒状部分４２の下端部と実質的に同一面上で終端する。筒状部分４２の内側で密閉リング２０は容器４８に向かう面を有し、ここから、開口部３６に隣接する周縁ウェブ部５０が突出する。ウェブ部５０は、マウスピースの締付保持のための帯状の周辺接触面を形成する。ウェブ部５０の外周部では、上記ウェブ部が円錐面５２を渡り平面４８へ突出する。ウェブ部５０の帯状接触面と円錐面５２との間に、閉鎖システムの組み付け状態における環状面と同様の方法でマウスピースの取付具に対して押圧される周縁部５４が形成される。雌ねじ４６は、開口部３６から、および容器縁部の取付手段を形成する別の雌ねじ４０から離間している。いずれも離間する間隔は径方向に延伸している。
【００３９】
本発明に係る閉鎖システムの固定差込部３０の斜視図が図６に示される。固定差込部３０は、環状部分５６とウェブ部５８とを有する。環状部分５６は、実質的に円形である貫通孔６０を有する。相互に１２０°離間した３点で、弓形突出部６２が環状部分５６に形成されており、これらは貫通孔６０の方向へ突出する。ウェブ部５８は貫通孔６０の上方かかっている。これはここでは貫通孔６０の中央で延伸しており、環状部分５６の長手方向軸の方向で環状部分５６の平面からわずかに離間しており、これにより特に簡単に把持可能である。組み付けられた状態では容器内側を向く環状部分５６の側面６４は、貫通孔６０に向かってマウスピースの方向へ傾斜している。
【００４０】
図７の平面図でもまた固定差込部が示される。弓形の突出部６２および貫通孔６０の中央にかかるウェブ部５８の配置が特にはっきりと見て取れる。さらに、図８から１０に断面が示されるＡ−Ａ、Ｂ−Ｂ、Ｃ−Ｃが示される。
【００４１】
図７においてＡ−Ａで示される図８の断面図では、環状部分５６から離間するウェブ部５８のわずかに湾曲した形状がはっきりと見られる。環状部分５６の外周部では、雄ねじ６６が形成されており、外側に突出する単一のねじ山は環状部分５６の周囲を１周のみ囲んでいる。これも図６に示されている。符号６８で示される環状部分５６の外縁部、およびこれに隣接しており環状部分５６の平面に配置される帯状の平面７０は、ねじ込まれた状態でマウスピースの取付具と協働し、取付具を密閉リング２０に対して押圧する。
【００４２】
図７のＢ−Ｂにより示される面の、図９に示される断面図では、環状部分５６の輪郭が特に明確に示される。表面６４の貫通孔の方向への傾斜がはっきり見られる。環状部分５６の外周部を形成する概ね円筒形の面７２の高さが密閉リング２０の筒状部分４２の長さに合わせられており、両者が相互にほぼ同一面上で終端するようになっている。
【００４３】
図１０も固定差込部３０の環状部分５６の断面図であり、突出部６２が形成される領域の図７のＣ−Ｃの面を示している。上記突出部は、貫通孔６０内へ突出し、貫通孔６０内へ挿入可能である隠れ蓋を固定するため用いられる。不図示の隠れ蓋は、隠れ蓋を保持するために突出部６２の後方で係合可能である周縁係止突起部を有する。
【００４４】
図１１は、密閉リング２０と固定差込部３０とを有し、これらの間にはマウスピース１００の取付具１０２が取り付けられている閉鎖システムの断面図を示す。マウスピース１００は、軸方向に移動可能である閉鎖要素１０４を有し、これは実質的に筒状であり、外径１０８を有し、マウスピース１００のほぼ円筒形の開口部１０６に挿入される。閉鎖要素１０４の内径は、移動可能である閉鎖要素１０４の長さに亘って可変であり、使用者側の長手部分１１０では内径が比較的小さく、部分１１０に係合するピン１１２の外径に合わせられている。ピン１１２が閉鎖要素１０４の長手部分１１０に係合することにより、閉鎖要素１０４の図示される第１位置では飲用開口部が閉鎖される。長手部分１１０の下では、段１１４の領域で閉鎖要素１０４の内径が拡大し、これにより段１１４の下で隙間１１６がピン１１２と閉鎖要素１０４の内壁との間に形成される。閉鎖要素１０４の使用者側の端部では、長手部分１１０とほぼ同じ高さに配置される周縁ビード部１２４が外に配置される。
【００４５】
マウスピース１００の取付部分１０２は、外側へ向かって厚さが減少する。段１１８が、異なる厚さを有する２つの領域を相互に隔てている。密閉リング２０と固定差込部３０との間にマウスピース１００を取り付ける際に取付具１０２の方を向く密閉リングの接触面１２０が、段１１８の内部で径方向に配置される取付具１０２の厚い方の部分に押圧される。固定差込部の上方の接触面１２２が、段１１８の外側に配置される取付フランジ１０２の薄いほうの部分の領域内で係合する。
【００４６】
軸方向に移動可能である閉鎖要素１０４は、マウスピース１００のほぼ円筒形のハウジング部分１２６内で案内される。このハウジング部分１２６は下端部で、２つのウェブ部１２７を介してピン１１２の下端部に接続する。また、ハウジング部分１２６は、ハウジング部分１２６の外面から延伸する湾曲した円錐ハウジング部分１２８および別の実質的に円筒形のハウジング部分１２９を介して取付具１０２に接続する。
【００４７】
図１２では、プッシュプル式の別のマウスピース１３０が示される。その外周部でマウスピース１３０は取付具１３２を有する。取付具１３２は、ほぼ円錐形のハウジング部分１３４と結合し、これは、ハウジング部分１３４に比べて開き角度が大幅に小さいほぼ円錐形のハウジング部分１３６と結合する。ハウジング部分１３４の下で、これに固定的に接続して、軸方向に調整された２つのウェブ部１３８が延伸し、これらは下端部で環状のディスク形状の接続片１４０へ開放する。
【００４８】
円錐ハウジング部分１３６のほぼ円筒形の開口部に案内される軸方向に移動可能な閉鎖要素１４２が斜線で示される。図１２に示される第１位置では、マウスピース１３０の飲用開口部は閉鎖されている。軸方向に移動可能である閉鎖要素１４２は、使用者側の端部に周縁ビード部１４４を有する。閉鎖要素１４２は、円錐ハウジング部分１３６を通り案内され、円錐ハウジング部分１３４の下でさらに軸方向に、２つのウェブ部１３８の間を通り環状のディスク形状の接続要素１４０まで延伸する。
【００４９】
図１３は、移動可能である閉鎖要素１４２を備えるマウスピース１３０の第２位置を示しており、この位置では飲用開口部は開放している。図１３および図１４と同じ符号が使用される。図１２の関連で既に説明された特徴に加えて、閉鎖要素１４２の第２位置では閉鎖要素１４２の円筒形部分１４６が見えており、これはビード部１４４の下方に形成されている。また、環状接続片１４０に取り付けられ、かつ／またはこれと一体的に製造されるピン１４８も示されており、移動可能である閉鎖要素１４２の円筒形開口部に軸方向へ延伸する。ピン１４８と実質的に筒状の閉鎖要素１４２との間には、環状の隙間１５０が示されており、図示される閉鎖要素の第２位置では、ここを通って液体が流れることが可能である。
【００５０】
図１４は、マウスピース１３０の別の斜視図であり、閉鎖要素１４２は図１２に示される第１位置にある。この閉鎖状態の位置で斜め上から見た図では、ピン１４８の上端部が閉鎖要素１４２の円筒形開口部に係合する様子が見られる。これにより、飲用開口部が閉鎖される。また、図１４では密閉リング１６０が示されており、ここを通ってマウスピース１３０が下方から案内されることが可能であり、円錐面１３４内に形成される肩部１６２が密閉リング１６０の内周部１６４と協働する。飲料ボトルまたは飲料カップの上側の容器縁部に密閉リング１６０をねじ締めすることにより、取付具１３２が密閉リング１６０と容器縁部との間で密閉するように取り付けられる。
【図１】
2010524793.tif 000003
【図２】
2010524793.tif 000004
【図３】
2010524793.tif 000005
【図４】
2010524793.tif 000006
【図５】
2010524793.tif 000007
【図６】
2010524793.tif 000008
【図７】
2010524793.tif 000009
【図８】
2010524793.tif 000010
【図９】
2010524793.tif 000011
【図１０】
2010524793.tif 000012
【図１１】
2010524793.tif 000013
【図１２】
2010524793.tif 000014
【図１３】
2010524793.tif 000015
【図１４】
2010524793.tif 000016
【手続補正書】
【提出日】平成21年11月27日(2009.11.27)
【手続補正１】
【補正対象書類名】明細書
【補正対象項目名】０００５
【補正方法】変更
【補正の内容】
【０００５】
【非特許文献１】文献ＤＥ  １９７  ３９  ９１１  Ａ１
【手続補正２】
【補正対象書類名】特許請求の範囲
【補正対象項目名】全文
【補正方法】変更
【補正の内容】
【特許請求の範囲】
【請求項１】
子供用飲料ボトルまたは子供用飲料カップのための閉鎖システムであって、
子供用飲料ボトルまたは子供用飲料カップの容器の容器縁部（１６）に密閉し、取り外し可能に接続するための取付手段（４０）を外周部に有し、マウスピース（２２）および／または隠れ蓋（３２）を受けるための開口部（３６）と、該開口部（３６）に隣接し開口部および前記取付手段（４０）と距離をあけて配置される雌ねじ（４６）とを有する密閉リング（２０）と、
貫通孔（６０）と、固定差込部（３０）と密閉リング（２０）との間で前記マウスピース（２２）および／または前記隠れ蓋（３２）の取付具を密閉するように締め付けるために前記密閉リング（２０）の雌ねじ（４６）にねじ込み可能である雄ねじ（６６）とを有する固定差込部（３０）と、
を備え、
前記固定差込部（３０）が、前記貫通孔（６０）および前記貫通孔（６０）にかかるウェブ部（５８）を形成する環状部分（５６）を有することを特徴とする閉鎖システム。
【請求項２】
前記密閉リング（２０）の前記雌ねじ（４６）が、前記密閉リング（２０）の筒状部分（４２）に形成されており、筒状部分の外面（４４）が前記容器縁部（１６）の内面に隣接することを特徴とする、請求項１に記載の閉鎖システム。
【請求項３】
前記固定差込部（３０）が、容器側を向く前記密閉リング（２０）の片側に設けられていることを特徴とする、請求項１または２に記載の閉鎖システム。
【請求項４】
容器側を向く固定差込部の前記環状部分（５６）の一方の側が、前記密閉リング（２０）にねじ込まれた状態で、前記密閉リング（２０）の前記筒状部分（４２）の自由端とほぼ同一面で終端することを特徴とする、請求項３に記載の閉鎖システム。
【請求項５】
容器側を向く前記固定差込部（３０）の前記環状部分（５６）の一方の側（６４）が、組み付けられた状態で、前記貫通孔（６０）に向かって前記マウスピース（２２）の方向へ傾斜していることを特徴とする、請求項３または４に記載の閉鎖システム。
【請求項６】
組み付けられた状態ではマウスピースの取付部分を向く前記密閉リング（２０）の一面（４８）、および／またはマウスピースの取付部分を向く前記固定差込部（３０）の一面が、前記固定差込部（３０）をねじ込む際に取付部分に押圧される周縁隆起部分、周縁部（５４、６８）または周縁ウェブ部（５０、７０）を有することを特徴とする、請求項１から５のいずれか一項に記載の閉鎖システム。
【請求項７】
前記密閉リング（２０）の前記雌ねじ（４６）および前記固定差込部（３０）の前記雄ねじ（６６）が、前記固定差込部（３０）を完全にねじ込むためには１回転または２回転を要するよう設計されていることを特徴とする、請求項１から６のいずれか一項に記載の閉鎖システム。
【請求項８】
前記密閉リング（２０）の前記取付手段（４０）が、容器縁部の雄ねじ（１２）と協働する別の雌ねじ（４０）であることを特徴とする、請求項１から７のいずれか一項に記載の閉鎖システム。
【請求項９】
閉鎖システムの開口部（３６）を閉鎖するための隠れ蓋（３２）が設けられることを特徴とする、請求項１から８のいずれか一項に記載の閉鎖システム。
【請求項１０】
飲用開口部（３４）と取付具とを有し、前記密閉リング（２０）の開口部（３６）に挿入可能であるマウスピース（２２）を備えることを特徴とする、請求項１から９のいずれか一項に記載の閉鎖システム。
【請求項１１】
前記マウスピース（２２）が、飲み物を飲むための乳首または飲み口（２２）であることを特徴とする、請求項１０に記載の閉鎖システム。
【請求項１２】
マウスピース（１００）が、第１位置では飲用開口部を密封し、第２位置では飲用開口部を開放する軸方向に移動可能である閉鎖要素（１０４）を備えることを特徴とする、請求項１０に記載の閉鎖システム。
【請求項１３】
前記閉鎖要素（１０４）が周縁ビード部（１２４）を有することを特徴とする、請求項１２に記載の閉鎖システム。
【請求項１４】
前記閉鎖要素（１０４）が実質的に筒状の構成であり、前記マウスピース（１００）が、第１位置では前記閉鎖要素（１０４）の長手部分（１１０）に係合するピン（１１２）を有することを特徴とする、請求項１２または１３に記載の閉鎖システム。
【請求項１５】
容器開口部と容器縁部（１６）とを有する容器（１０）と、請求項１から１１のいずれか一項に記載の閉鎖システムとを有する子供用飲料ボトルまたはカップ。
【請求項１６】
前記容器（１０）と前記密閉リング（２０）との間に挿入され、容器と一体的に構成される、または個別の取付手段で容器に取り付けられる把持要素（２４）が設けられることを特徴とする、請求項１２に記載の子供用飲料ボトルまたはカップ。
【請求項１７】
前記密閉リング（２０）に取り外し可能に接続可能であり、前記マウスピース（２２）を覆う密閉キャップが設けられることを特徴とする、請求項１２または１３に記載の子供用飲料ボトルまたはカップ。
【請求項１８】
飲用開口部と、
第１位置で飲用開口部を密封し、第２位置で飲用開口部を開放する軸方向に移動可能である閉鎖要素（１４２）と、
を備える、マウスピース（１３０）を有する飲料ボトルまたはカップ用の閉鎖システムにおいて、
前記マウスピース（１３０）が、飲料ボトルまたは飲料カップの容器縁部と、飲料ボトルまたは飲料カップにねじ締め可能である密閉リング（１６０）との間に取り付けることが可能である取付具（１３２）を備えることを特徴とする閉鎖システム。
【請求項１９】
前記閉鎖要素（１４２）が周縁ビード部（１４４）を有することを特徴とする、請求項１８に記載の閉鎖システム。
【請求項２０】
前記閉鎖要素（１４２）が実質的に筒状の構成であり、前記マウスピース（１３０）が、第１位置で前記閉鎖要素（１４２）の長手部分に係合するピン（１４８）を有することを特徴とする、請求項１８または１９に記載の閉鎖システム。
【請求項２１】
取付部分（１３２）が周縁取付フランジであり、その厚さが外側へ向かって径方向に減少することを特徴とする、請求項１８から２０のいずれか一項に記載の閉鎖システム。
【請求項２２】
閉鎖システムが請求項１８から２０のいずれか一項に従って設計されることを特徴とする、容器と閉鎖システムとを備える飲料ボトルまたはカップ。
【請求項２３】
子供用の飲料ボトルまたは子供用飲料カップであることを特徴とする、請求項２１に記載の飲料ボトルまたはカップ。
【国際調査報告】
2010524793.tif 000017
2010524793.tif 000018
2010524793.tif 000019
2010524793.tif 000020